(57)【要約】【課題】精度の高い記録補償を実現することを課題とする。【解決手段】磁気ディスク装置１の記録補正回路は、磁化反転するビットがある場合には、磁化反転するビットと、当該ビットから一つ前のビットと二つ前のビットの符号付ＮＲＺＩパターンをそれぞれ検出する。そして、記録補正回路は、検出された符号付ＮＲＺＩパターンの検出結果が、補償値テーブル８ａに記憶されているか判定する。その結果、記録補正回路は、検出された符号付ＮＲＺＩパターンの検出結果が、補償値テーブル８ａに記憶されている場合には、当該パターンに対応する記録補償値を用いて、記録データに対する記録補償処理を実行する。【選択図】        図１
2009087440.tif 000002
【特許請求の範囲】
【請求項１】
磁化反転の有無から非線形性が発生するパターンを検出し、当該パターンに応じて、記録補償処理を実行するように記憶装置を制御する制御装置において、
前記非線形性が発生するパターンにおいて、当該パターンの極性毎に記録補償値を対応付けて記憶する記録補償値記憶部と、
前記非線形性が発生するパターンとともに、当該パターンの極性を検出するパターン検出部と、
前記パターン検出部によって検出されたパターンの極性が、前記記録補償値記憶部に記憶されている場合には、当該パターンの極性に対応する記録補償値を用いて、記録データに対する記録補償処理を実行する記録補償部と、
を備えることを特徴とする制御装置。
【請求項２】
前記記録補償値記憶部は、前記記録補償値として、非線形性が発生するパターンの記録補償値の平均値に、非線形性が発生する各パターンでの両極性の記録補償値の差分を加算または減算した値を、前記パターンの極性毎に対応付けて記憶することを特徴とする請求項１に記載の制御装置。
【請求項３】
磁化反転の有無から非線形性が発生するパターンを検出し、当該パターンに応じて、記録補償処理を実行する記憶装置において、
前記非線形性が発生するパターンにおいて、当該パターンの極性毎に記録補償値を対応付けて記憶する記録補償値記憶部と、
前記非線形性が発生するパターンとともに、当該パターンの極性を検出するパターン検出部と、
前記パターン検出部によって検出されたパターンの極性が、前記記録補償値記憶部に記憶されている場合には、当該パターンの極性に対応する記録補償値を用いて、記録データに対する記録補償処理を実行する記録補償部と、
を備えることを特徴とする記憶装置。
【請求項４】
前記記録補償値記憶部は、前記記録補償値として、非線形性が発生するパターンの記録補償値の平均値に、非線形性が発生する各パターンでの両極性の記録補償値の差分を加算または減算した値を、前記パターンの極性毎に対応付けて記憶することを特徴とする請求項３に記載の記憶装置。
【請求項５】
磁化反転の有無から非線形性が発生するパターンを検出し、当該パターンに応じて、記録補償処理を実行するＬＳＩにおいて、
前記非線形性が発生するパターンにおいて、当該パターンの極性毎に記録補償値を対応付けて記憶する記録補償値記憶部と、
前記非線形性が発生するパターンとともに、当該パターンの極性を検出するパターン検出部と、
前記パターン検出部によって検出されたパターンの極性が、前記記録補償値記憶部に記憶されている場合には、当該パターンの極性に対応する記録補償値を用いて、記録データに対する記録補償処理を実行する記録補償部と、
を備えることを特徴とするＬＳＩ。
【請求項６】
前記記録補償値記憶部は、前記記録補償値として、非線形性が発生するパターンの記録補償値の平均値に、非線形性が発生する各パターンでの両極性の記録補償値の差分を加算または減算した値を、前記パターンの極性毎に対応付けて記憶することを特徴とする請求項５に記載のＬＳＩ。
【請求項７】
磁化反転の有無から非線形性が発生するパターンを検出し、当該パターンに応じて、記録補償処理を実行する記録補償方法において、
前記非線形性が発生するパターンにおいて、当該パターンの極性毎に記録補償値を対応付けて記録補償値記憶部に記憶する記録補償値記憶ステップと、
前記非線形性が発生するパターンとともに、当該パターンの極性を検出するパターン検出ステップと、
前記パターン検出ステップによって検出されたパターンの極性が、前記記録補償値記憶部に記憶されている場合には、当該パターンの極性に対応する記録補償値を用いて、記録データに対する記録補償処理を実行する記録補償ステップと、
を含んだことを特徴とする記録補償方法。
【請求項８】
前記記録補償値記憶ステップは、前記記録補償値として、非線形性が発生するパターンの記録補償値の平均値に、非線形性が発生する各パターンでの両極性の記録補償値の差分を加算または減算した値を、前記パターンの極性毎に対応付けて前記記録補償値記憶部に記憶することを特徴とする請求項７に記載の記録補償方法。
【発明の詳細な説明】
【技術分野】
【０００１】
この発明は、磁化反転の有無から非線形性が発生するパターンを検出し、当該パターンに応じて、記録補償処理を実行する制御装置、記憶装置、ＬＳＩおよび記録補償方法に関する。
【背景技術】
【０００２】
近年、磁気記録再生装置の高密度化、高速データ転送化に伴い、磁気ヘッド、記録媒体および記録再生伝送系で生じる非線形遷移シフト（ＮＬＴＳ：Non-Linear  Transition  Shift）を減少するために、記録補償を行うことが知られている（特許文献１参照）。この記録補償を行うために、従来の記録補償方式（Write  Pre  Compensation、以下ＷＰＣという）は、非線形性が発生するパターン（Ｄｉｂｉｔ、Ｔｒｉｂｉｔ、２Ｔ）を検出し、検出されたパターンに応じて、記録補償を行っていた（特許文献２参照）。
【０００３】
具体的には、従来の記録補償方式では、媒体上に記録するデータの記録符号をレベルで表示するＮＲＺ（Non  Return  to  Zero）を測定し、記録符号をレベルの反転で表示するＮＲＺＩに変換する。そのＮＲＺＩから非線形性が発生するパターン（Ｄｉｂｉｔ、Ｔｒｉｂｉｔ、２Ｔ）を検出する。例えば、磁化反転する場合に、前２ビットのＮＲＺＩを検出し、ＮＲＺＩが「０１１」である場合には「Ｄｉｂｉｔ」、ＮＲＺＩが「１１１」である場合には「Ｔｒｉｂｉｔ」、ＮＲＺＩが「１０１」である場合には「２Ｔ」として、それぞれに対応する記録補償値を用いて記録補償を行ってきた。ここでＮＲＺＩにおいて、「０」は磁化反転なし、「１」は磁化反転有りとした。
【０００４】
【特許文献１】特開平７−６３０６号公報
【特許文献２】特開２０００−２０９０３号公報
【発明の開示】
【発明が解決しようとする課題】
【０００５】
しかしながら、近年の高記録密度化および高速転送化に伴い、Ｄｉｂｉｔ、Ｔｒｉｂｉｔ、２Ｔのパターンでの極性により、記録非線形性（ＮＬＴＳ）が異なり始めている。つまり、図８に例示すように、同じＤｉｂｉｔであって、パターン極性が異なる「０００００１０」と「１１１１１０１」とでは、ＮＬＴＳの値が異なる。このように、上記した従来の記録補償方式では、パターンの極性に関わらず記録補償を行っているので、精度の高い記録補償を行うことができないという課題があった。
【０００６】
そこで、この発明は、上述した従来技術の課題を解決するためになされたものであり、精度の高い記録補償を実現することを目的とする。
【課題を解決するための手段】
【０００７】
上述した課題を解決し、目的を達成するため、本発明は、磁化反転の有無から非線形性が発生するパターンを検出し、当該パターンに応じて、記録補償処理を実行するように記憶装置を制御する制御装置において、前記非線形性が発生するパターンにおいて、当該パターンの極性毎に記録補償値を対応付けて記憶する記録補償値記憶部と、前記非線形性が発生するパターンとともに、当該パターンの極性を検出するパターン検出部と、前記パターン検出部によって検出されたパターンの極性が、前記記録補償値記憶部に記憶されている場合には、当該パターンの極性に対応する記録補償値を用いて、記録データに対する記録補償処理を実行する記録補償部と、を備えることを特徴とする。
【０００８】
また、本発明は、上記の発明において、前記記録補償値記憶部は、前記記録補償値として、非線形性が発生するパターンの記録補償値の平均値に、非線形性が発生する各パターンでの両極性の記録補償値の差分を加算または減算した値を、前記パターンの極性毎に対応付けて記憶することを特徴とする。
【０００９】
また、本発明は、磁化反転の有無から非線形性が発生するパターンを検出し、当該パターンに応じて、記録補償処理を実行する記憶装置において、前記非線形性が発生するパターンにおいて、当該パターンの極性毎に記録補償値を対応付けて記憶する記録補償値記憶部と、前記非線形性が発生するパターンとともに、当該パターンの極性を検出するパターン検出部と、前記パターン検出部によって検出されたパターンの極性が、前記記録補償値記憶部に記憶されている場合には、当該パターンの極性に対応する記録補償値を用いて、記録データに対する記録補償処理を実行する記録補償部と、を備えることを特徴とする。
【００１０】
また、本発明は、上記の発明において、前記記録補償値記憶部は、前記記録補償値として、非線形性が発生するパターンの記録補償値の平均値に、非線形性が発生する各パターンでの両極性の記録補償値の差分を加算または減算した値を、前記パターンの極性毎に対応付けて記憶することを特徴とする。
【００１１】
また、本発明は、磁化反転の有無から非線形性が発生するパターンを検出し、当該パターンに応じて、記録補償処理を実行するＬＳＩにおいて、前記非線形性が発生するパターンにおいて、当該パターンの極性毎に記録補償値を対応付けて記憶する記録補償値記憶部と、前記非線形性が発生するパターンとともに、当該パターンの極性を検出するパターン検出部と、前記パターン検出部によって検出されたパターンの極性が、前記記録補償値記憶部に記憶されている場合には、当該パターンの極性に対応する記録補償値を用いて、記録データに対する記録補償処理を実行する記録補償部と、を備えることを特徴とする。
【００１２】
また、本発明は、上記の発明において、前記記録補償値記憶部は、前記記録補償値として、非線形性が発生するパターンの記録補償値の平均値に、非線形性が発生する各パターンでの両極性の記録補償値の差分を加算または減算した値を、前記パターンの極性毎に対応付けて記憶することを特徴とする。
【００１３】
また、本発明は、磁化反転の有無から非線形性が発生するパターンを検出し、当該パターンに応じて、記録補償処理を実行する記録補償方法において、前記非線形性が発生するパターンにおいて、当該パターンの極性毎に記録補償値を対応付けて記録補償値記憶部に記憶する記録補償値記憶ステップと、前記非線形性が発生するパターンとともに、当該パターンの極性を検出するパターン検出ステップと、前記パターン検出ステップによって検出されたパターンの極性が、前記記録補償値記憶部に記憶されている場合には、当該パターンの極性に対応する記録補償値を用いて、記録データに対する記録補償処理を実行する記録補償ステップと、を含んだことを特徴とする。
【００１４】
また、本発明は、上記の発明において、前記記録補償値記憶ステップは、前記記録補償値として、非線形性が発生するパターンの記録補償値の平均値に、非線形性が発生する各パターンでの両極性の記録補償値の差分を加算または減算した値を、前記パターンの極性毎に対応付けて前記記録補償値記憶部に記憶することを特徴とする。
【発明の効果】
【００１５】
本発明によれば、磁気記録で発生している記録極性に依存するＮＬＴＳを補正するために、記録極性を加味して記録補償処理を実行するので、精度の高い記録補償を実現するという効果が得られる。また、高記録密度化および高速転送化における高い信頼性を確保した記憶装置を実現することができるという効果が得られる。
【発明を実施するための最良の形態】
【００１６】
以下に添付図面を参照して、この発明に係る磁化反転の有無から非線形性が発生するパターンを検出し、当該パターンに応じて、記録補償処理を実行する制御装置、記憶装置、ＬＳＩおよび記録補償方法の実施例を詳細に説明する。
【実施例１】
【００１７】
以下の実施例では、実施例１に係る磁気ディスク装置の概要および特徴、磁気ディスク装置の構成および処理の流れを順に説明し、最後に実施例１による効果を説明する。なお、以下においては、記憶装置として磁気ディスク装置を例に挙げながら説明する。ただし、本発明は、磁気ディスク装置以外にも例えば光磁気ディスク装置などの記憶装置にも適用することが可能である。
【００１８】
［実施例１に係る磁気ディスク装置の概要および特徴］
まず最初に、図１を用いて、実施例１に係る磁気ディスク装置の概要および特徴を説明する。図１は、実施例１に係る磁気ディスク装置の概要および特徴を説明するための図である。
【００１９】
実施例１の磁気ディスク装置１では、磁化反転の有無から非線形性が発生するパターンを検出し、当該パターンに応じて、記録補償処理を実行することを概要とする。そして、この磁気ディスク装置１では、記録極性を加味して記録補償処理を実行し、精度の高い記録補償を実現する点に主たる特徴がある。
【００２０】
この主たる特徴について具体的に説明すると、磁気ディスク装置１は、非線形性が発生するパターンにおいて、当該パターンの極性毎に記録補償値を対応付けて記憶する補償値テーブル８ａを備える。
【００２１】
このような構成のもと、磁気ディスク装置１は、非線形性が発生するパターンとともに、当該パターンの極性を検出する（図１の（１）参照）。具体的には、磁気ディスク装置１は、媒体上に記録するデータの記録符号をレベルで表示するＮＲＺのデータを、磁化反転なしを「０」磁化反転有りを「１」で表示するＮＲＺＩパターンに変換し、さらにＮＲＺＩパターンを、パターンの極性を表示する符号付ＮＲＺＩパターンに変換する。そして、磁気ディスク装置１は、磁化反転させる場合（符号付ＮＲＺＩパターンが「＋」または「−」の場合）には、磁化反転するビットと、当該ビットから一つ前のビットと二つ前のビットの符号付ＮＲＺＩパターンをそれぞれ検出する。
【００２２】
続いて、磁気ディスク装置１は、検出された符号付ＮＲＺＩパターンの検出結果が、記録補償値テーブル８ａに記憶されている場合には、当該パターンに対応する記録補償値を用いて、記録データに対する記録補償処理を実行する（図１の（２）参照）。つまり、図１の例を用いて具体的に説明すると、磁気ディスク装置１は、符号付ＮＲＺＩパターンの検出結果が、記録補償値テーブル８ａに記憶されている「＋０−」、「−０＋」、「０＋−」、「０−＋」、「＋−＋」、「−＋−」である場合には、記録補償処理が必要であるとして、記録補償値テーブル８ａにそれぞれ対応する記録補償値（図１では、「Ｂｉｔ  Ｎ  Ｃｏｍｐｅｎｓａｔｉｏｎ」）を記録補償値テーブル８ａから読み出して、記録補償処理を実行する。
【００２３】
このように、磁気ディスク装置１は、記録極性を加味して記録補償処理を実行する結果、上記した主たる特徴のごとく、精度の高い記録補償を実現することが可能である。
【００２４】
［磁気ディスク装置の構成］
次に、図２を用いて、図１に示した磁気ディスク装置１の構成を説明する。図２は、実施例１に係る磁気ディスク装置１の構成を示すブロック図である。同図に示すように、この磁気ディスク装置１は、高保持力の磁性膜を用い円板状の媒体上にトラックが形成された磁気ディスク２を回転させつつ、磁気ディスク２に対向して配置された磁気ヘッド３に記録電流を供給することにより磁気ヘッド３に磁界を発生させ、磁気ディスク２をトラック進行方向に磁化することにより磁気ディスク２にデータを記録する。
【００２５】
このとき、磁気ヘッド３は、アクチュエータ４により磁気ディスク２の半径方向に移動し、同心円状に形成された磁気ディスク２のトラック上にデータを記録していく。また、磁気ヘッド３には、ヘッドＩＣ５から記録電流が供給され、記録データに応じた磁界が発生される。記録データは、まず外部から制御回路６に供給される。
【００２６】
制御回路６は、外部から記録データを受信して、エンコーダ７に供給する。エンコーダ７は、制御回路６から供給された記録データを磁気ディスク２に記録するため、ＮＲＺ（Non-Return to Zero）のデータに変換して出力する。エンコーダ７の出力信号は、記録補正回路８に供給される。なお、ＮＲＺとは、非ゼロ復帰記録方式と呼ばれるもので、２値信号パルス列において、単位符号間隔の長さとパルスの長さとが同じになるパルス波形で記録を行なう記録方式である。
【００２７】
記録補正回路８は、非線形性が発生するパターンにおいて、当該パターンの極性毎に記録補償値を対応付けて記憶する補償値テーブル８ａを備える。ここで、図３を用いて補償値テーブル８ａを具体的に説明する。同図に例示すように、補償値テーブル８ａは、記録補償処理が必要である符号付ＮＲＺＩパターンとして、「＋０−」、「−０＋」、「０＋−」、「０−＋」、「＋−＋」、「−＋−」に、それぞれ記録補償値（Ｂｉｔ  Ｎ  Ｃｏｍｐｅｎｓａｔｉｏｎ）として、Ｔ（＋０−）、Ｔ（−０＋）、Ｔ（０＋−）、Ｔ（０−＋）、Ｔ（＋−＋）、Ｔ（−＋−）を対応付けて記憶する。
【００２８】
記録補正回路８は、エンコーダ７から記録信号として、ＮＲＺのデータを受け付け、ＮＲＺのデータを、磁化反転なしを「０」磁化反転有りを「１」で表示するＮＲＺＩパターンに変換し、そのＮＲＺＩパターンを、パターンの極性を表示する符号付ＮＲＺＩパターンに変換する。ここで、符号付ＮＲＺＩパターンでは、「０」から「１」に磁化反転した場合には「＋」、「１」から「０」に磁化反転した場合には「−」と表現する。
【００２９】
そして、記録補正回路８は、検出された符号付ＮＲＺＩパターンの検出結果が、記録補償値テーブル８ａに記憶されている場合には、当該パターンに対応する記録補償値を用いて、ＮＲＺのデータを補正する記録補償処理を実行する（図４参照）。記録補正回路８は、補正した記録信号をヘッドＩＣ５に供給する。
【００３０】
具体的には、記録補正回路８は、磁化反転するビットがある場合には、磁化反転するビット（つまり、符号付ＮＲＺＩパターンが「＋」または「−」のビット）と、当該ビットから一つ前のビットと二つ前のビットの符号付ＮＲＺＩパターンをそれぞれ検出する。そして、記録補正回路８は、検出された符号付ＮＲＺＩパターンの検出結果が、記録補償値テーブル８ａに記憶されているか判定する。その結果、記録補正回路８は、検出された符号付ＮＲＺＩパターンの検出結果が、記録補償値テーブル８ａに記憶されている場合には、当該パターンに対応する記録補償値を用いて、記録データに対する記録補償処理を実行する。
【００３１】
ヘッドＩＣ５は、記録補正回路８から供給された記録データに応じた記録電流を磁気ヘッド３に供給する。一方、磁気ヘッド３により再生された信号は、ヘッドＩＣ５に供給されて増幅された後、ＡＧＣ（Automatic  Gain  Control）回路９に供給される。ＡＧＣ回路９は、ヘッドＩＣ５から供給された信号の振幅を一定に制御して出力する。
【００３２】
ＡＧＣ回路９の出力信号は、信号検出回路１０に供給され、再生データが検出される。信号検出回路１０で検出された再生データは、デコーダ１１に供給され、デコードされた後、制御回路６に供給される。制御回路６では、再生データを外部に出力する。
【００３３】
また、ＡＧＣ回路９の出力信号は、サーボ復調回路１２に供給される。サーボ復調回路１２では、ＡＧＣ回路９から供給された信号からサーボ信号を復調して、サーボ制御回路１３に供給する。サーボ制御回路１３は、サーボ復調回路１２から供給されるサーボ信号と制御回路６から供給される制御信号とに応じて磁気ヘッド３の現在の位置と記録または再生を行なうべき位置との差に応じたドライブ制御信号を生成して、ドライブ回路１４に供給する。
【００３４】
ドライブ回路１４は、サーボ制御回路１３から供給されたドライブ制御信号に応じてアクチュエータ４を駆動するドライブ信号を生成し、アクチュエータ４に供給する。アクチュエータ４は、ドライブ回路１４からのドライブ信号に応じて駆動され、磁気ヘッド３を所定の位置に移動させる。このような磁気ディスク装置１で、磁気ディスク２にデータを記録する場合、磁気ディスク２を磁化する必要があるので、記録媒体上の前記録データの磁化の反転の影響により記録データに位置ずれが発生し、本来の磁化反転位置から位置ずれが生じてしまう。
【００３５】
［磁気ディスクによる記録補償処理］
次に、図５を用いて、実施例１に係る磁気ディスク１による記録補償処理を説明する。図５は、実施例１に係る磁気ディスク１の処理動作を示すフローチャートである。
【００３６】
同図に示すように、磁気ディスク１の記録補正回路８は、磁化反転するビットがある場合には（ステップＳ１０１肯定）、磁化反転するビットと、当該ビットから一つ前のビットと二つ前のビットの符号付ＮＲＺＩパターンをそれぞれ検出する（ステップＳ１０２）。
【００３７】
そして、記録補正回路８は、検出された符号付ＮＲＺＩパターンの検出結果が、記録補償値テーブル８ａに記憶されているか判定する（ステップＳ１０３）。その結果、記録補正回路８は、検出された符号付ＮＲＺＩパターンの検出結果が、記録補償値テーブル８ａに記憶されている場合には（ステップＳ１０３肯定）、当該パターンに対応する記録補償値を用いて、記録データに対する記録補償処理を実行する（ステップＳ１０４）。また、記録補正回路８は、検出された符号付ＮＲＺＩパターンの検出結果が、記録補償値テーブル８ａに記憶されていない場合には（ステップＳ１０３否定）、記録補償を行わずに記録補償処理を終了する。
【００３８】
[実施例１の効果]
上述してきたように、磁気ディスク１は、磁気記録で発生している記録極性に依存するＮＬＴＳを補正するために、記録極性を加味して記録補償処理を実行するので、精度の高い記録補償を実現することが可能である。また、高記録密度化および高速転送化における高い信頼性を確保した記憶装置を実現することが可能である。
【実施例２】
【００３９】
さて、これまで本発明の実施例について説明したが、本発明は上述した実施例以外にも、種々の異なる形態にて実施されてよいものである。そこで、以下では実施例２として本発明に含まれる他の実施例を説明する。
【００４０】
（１）ＬＳＩ
本発明は、少なくともエンコーダを含むライト回路もしくはリード／ライトチャネルのＬＳＩ、またはこれらにＭＣＵ、ＨＤＤ等の制御回路を含むＬＳＩなどの記録再生用のＬＳＩに適用するようにしてもよい。具体的には、図６に例示するように、磁気ディスク装置１００は、記録再生用のＬＳＩ２１で構成するようにしてもよい。
【００４１】
（２）補償値テーブル
また、上記の実施例１では、補償値テーブルに記憶される記録補償値が絶対値として記憶されている場合を説明したが、本発明はこれに限定されるものではなく、両極性の差分から記録補償値をもとめるようにしてもよい。具体的には、図７に例示するように、非線形性が発生するパターンの記録補償値の平均値（図７の例では、Ｔ（１０１）、Ｔ（０１１）、Ｔ（１１１））に、非線形性が発生する各パターンでの両極性の記録補償値の差分（例えば、ＷＰＣ（＋０−）とＷＰＣ（−０＋）の差分）の二分の一した値を加算または減算してもとめ、その値を記録補償値としてパターンの極性毎に対応付けて記憶する。
【００４２】
このように、従来の記録補償値の平均値（例えば、Ｔ（１０１）、Ｔ（０１１）、Ｔ（１１１））から両極性の記録補償値の差分をもとめていくので、記録補償値が調整しやすいという効果が得られる。
【００４３】
（３）システム構成等
また、図２に示した磁気ディスク装置１の各構成要素は機能概念的なものであり、必ずしも物理的に図示の如く構成されていることを要しない。すなわち、磁気ディスク装置１の分散・統合の具体的形態は図示のものに限られず、例えば、メモリと不揮発性メモリとを統合した一つの記憶部を備えるなど、その全部または一部を、各種の負荷や使用状況などに応じて、任意の単位で機能的または物理的に分散・統合して構成することができる。
【００４４】
さらに、各処理機能は、その全部または任意の一部が、ＭＰＵ、ＭＣＵあるいはＣＰＵにて解析実行されるプログラムにて実現され、あるいは、ワイヤードロジックによるハードウェアとして実現される。例えば、上記の実施例で説明した各種の処理は、記録補償プログラムを実行するＭＰＵ、ＭＣＵあるいはＣＰＵを備えた制御装置等で実現され得る。
【００４５】
（付記１）磁化反転の有無から非線形性が発生するパターンを検出し、当該パターンに応じて、記録補償処理を実行するように記憶装置を制御する制御装置において、
前記非線形性が発生するパターンにおいて、当該パターンの極性毎に記録補償値を対応付けて記憶する記録補償値記憶部と、
前記非線形性が発生するパターンとともに、当該パターンの極性を検出するパターン検出部と、
前記パターン検出部によって検出されたパターンの極性が、前記記録補償値記憶部に記憶されている場合には、当該パターンの極性に対応する記録補償値を用いて、記録データに対する記録補償処理を実行する記録補償部と、
を備えることを特徴とする制御装置。
【００４６】
（付記２）前記記録補償値記憶部は、前記記録補償値として、非線形性が発生するパターンの記録補償値の平均値に、非線形性が発生する各パターンでの両極性の記録補償値の差分を加算または減算した値を、前記パターンの極性毎に対応付けて記憶することを特徴とする付記１に記載の制御装置。
【００４７】
（付記３）前記記録補償値記憶部は、非線形性が発生する符号付ＮＲＺＩパターンとして、「＋０−」、「−０＋」、「０＋−」、「０−＋」、「＋−＋」、「−＋−」をそれぞれ記録補償値に対応付けて記憶し、
前記パターン検出部は、符号付ＮＲＺＩパターンを検出し、
前記記録補償部は、前記パターン検出部によって検出された符号付ＮＲＺＩパターンが前記記録補償値記憶部に記憶されている符号付ＮＲＺＩパターンである場合には、当該符号付ＮＲＺＩパターンの極性に対応する記録補償値を用いて、記録データに対する記録補償処理を実行することを特徴とする付記１または２に記載の制御装置。
【００４８】
（付記４）磁化反転の有無から非線形性が発生するパターンを検出し、当該パターンに応じて、記録補償処理を実行する記憶装置において、
前記非線形性が発生するパターンにおいて、当該パターンの極性毎に記録補償値を対応付けて記憶する記録補償値記憶部と、
前記非線形性が発生するパターンとともに、当該パターンの極性を検出するパターン検出部と、
前記パターン検出部によって検出されたパターンの極性が、前記記録補償値記憶部に記憶されている場合には、当該パターンの極性に対応する記録補償値を用いて、記録データに対する記録補償処理を実行する記録補償部と、
を備えることを特徴とする記憶装置。
【００４９】
（付記５）前記記録補償値記憶部は、前記記録補償値として、非線形性が発生するパターンの記録補償値の平均値に、非線形性が発生する各パターンでの両極性の記録補償値の差分を加算または減算した値を、前記パターンの極性毎に対応付けて記憶することを特徴とする付記４に記載の記憶装置。
【００５０】
（付記６）前記記録補償値記憶部は、非線形性が発生する符号付ＮＲＺＩパターンとして、「＋０−」、「−０＋」、「０＋−」、「０−＋」、「＋−＋」、「−＋−」をそれぞれ記録補償値に対応付けて記憶し、
前記パターン検出部は、符号付ＮＲＺＩパターンを検出し、
前記記録補償部は、前記パターン検出部によって検出された符号付ＮＲＺＩパターンが前記記録補償値記憶部に記憶されている符号付ＮＲＺＩパターンである場合には、当該符号付ＮＲＺＩパターンの極性に対応する記録補償値を用いて、記録データに対する記録補償処理を実行することを特徴とする付記４または５に記載の記憶装置。
【００５１】
（付記７）磁化反転の有無から非線形性が発生するパターンを検出し、当該パターンに応じて、記録補償処理を実行するＬＳＩにおいて、
前記非線形性が発生するパターンにおいて、当該パターンの極性毎に記録補償値を対応付けて記憶する記録補償値記憶部と、
前記非線形性が発生するパターンとともに、当該パターンの極性を検出するパターン検出部と、
前記パターン検出部によって検出されたパターンの極性が、前記記録補償値記憶部に記憶されている場合には、当該パターンの極性に対応する記録補償値を用いて、記録データに対する記録補償処理を実行する記録補償部と、
を備えることを特徴とするＬＳＩ。
【００５２】
（付記８）前記記録補償値記憶部は、前記記録補償値として、非線形性が発生するパターンの記録補償値の平均値に、非線形性が発生する各パターンでの両極性の記録補償値の差分を加算または減算した値を、前記パターンの極性毎に対応付けて記憶することを特徴とする付記７に記載のＬＳＩ。
【００５３】
（付記９）前記記録補償値記憶部は、非線形性が発生する符号付ＮＲＺＩパターンとして、「＋０−」、「−０＋」、「０＋−」、「０−＋」、「＋−＋」、「−＋−」をそれぞれ記録補償値に対応付けて記憶し、
前記パターン検出部は、符号付ＮＲＺＩパターンを検出し、
前記記録補償部は、前記パターン検出部によって検出された符号付ＮＲＺＩパターンが前記記録補償値記憶部に記憶されている符号付ＮＲＺＩパターンである場合には、当該符号付ＮＲＺＩパターンの極性に対応する記録補償値を用いて、記録データに対する記録補償処理を実行することを特徴とする付記７または８に記載のＬＳＩ。
【００５４】
（付記１０）磁化反転の有無から非線形性が発生するパターンを検出し、当該パターンに応じて、記録補償処理を実行する記録補償方法において、
前記非線形性が発生するパターンにおいて、当該パターンの極性毎に記録補償値を対応付けて記録補償値記憶部に記憶する記録補償値記憶ステップと、
前記非線形性が発生するパターンとともに、当該パターンの極性を検出するパターン検出ステップと、
前記パターン検出ステップによって検出されたパターンの極性が、前記記録補償値記憶部に記憶されている場合には、当該パターンの極性に対応する記録補償値を用いて、記録データに対する記録補償処理を実行する記録補償ステップと、
を含んだことを特徴とする記録補償方法。
【００５５】
（付記１１）前記記録補償値記憶ステップは、前記記録補償値として、非線形性が発生するパターンの記録補償値の平均値に、非線形性が発生する各パターンでの両極性の記録補償値の差分を加算または減算した値を、前記パターンの極性毎に対応付けて前記記録補償値記憶部に記憶することを特徴とする付記１０に記載の記録補償方法。
【００５６】
（付記１２）前記記録補償値記憶ステップは、非線形性が発生する符号付ＮＲＺＩパターンとして、「＋０−」、「−０＋」、「０＋−」、「０−＋」、「＋−＋」、「−＋−」をそれぞれ記録補償値に対応付けて前記記録補償値記憶部に記憶し、
前記パターン検出ステップは、符号付ＮＲＺＩパターンを検出し、
前記記録補償ステップは、前記パターン検出ステップによって検出された符号付ＮＲＺＩパターンが前記記録補償値記憶部に記憶されている符号付ＮＲＺＩパターンである場合には、当該符号付ＮＲＺＩパターンの極性に対応する記録補償値を用いて、記録データに対する記録補償処理を実行することを特徴とする付記１０または１１に記載の記録補償方法。
【産業上の利用可能性】
【００５７】
以上のように、本発明に係る制御装置、記憶装置、ＬＳＩおよび記録補償方法は磁化反転の有無から非線形性が発生するパターンを検出し、当該パターンに応じて、記録補償処理を実行する場合に有用であり、特に、精度の高い記録補償を実現することに適する。
【図面の簡単な説明】
【００５８】
【図１】実施例１に係る磁気ディスク装置の概要および特徴を説明するための図である。
【図２】実施例１に係る磁気ディスク装置の構成を示すブロック図である。
【図３】実施例１に係る磁気ディスク装置の補償値テーブルを説明するための図である。
【図４】記録補償処理を説明するための図である。
【図５】実施例１に係る磁気ディスクの処理動作を示すフローチャートである。
【図６】実施例２に係る磁気ディスク装置の構成を示すブロック図である。
【図７】実施例２に係る磁気ディスク装置の補償値テーブルを説明するための図である。
【図８】従来の技術を説明するための図である。
【符号の説明】
【００５９】
１  磁気ディスク装置
２  磁気ディスク
３  磁気ヘッド
４  アクチュエータ
５  ヘッドＩＣ
６  制御回路
７  エンコーダ
８  記録補正回路
８ａ  補償値テーブル
９  ＡＧＣ回路
１０  信号検出回路
１１  デコーダ
１２  サーボ復調回路
１３  サーボ制御回路
１４  ドライブ回路
【図１】
2009087440.tif 000003
【図２】
2009087440.tif 000004
【図３】
2009087440.tif 000005
【図４】
2009087440.tif 000006
【図５】
2009087440.tif 000007
【図６】
2009087440.tif 000008
【図７】
2009087440.tif 000009
【図８】
2009087440.tif 000010